(57)【特許請求の範囲】
【請求項１】
ホログラムが接着層により基材に接着されたホログラム積層体において、
前記ホログラムにのみ、当該ホログラムに記録された画像の輪郭に沿ってミシン目が形成されてなる
ことを特徴とするホログラム積層体。
【請求項２】
前記ホログラムに記録された画像は先端が鋭角となされた突部が連ねられた形状であることを特徴とする請求項１に記載のホログラム積層体。
【請求項３】
前記ホログラムと前記基材との間には着色層が形成されてなる
ことを特徴とする請求項１又は２に記載のホログラム積層体。
【請求項４】
前記ホログラムの表面には接着層によって透明保護シートが貼付されてなることを特徴とする請求項１、２又は３に記載のホログラム積層体。
【発明の詳細な説明】
【０００１】
【発明の属する技術分野】
本発明は、有効に偽造を防止できるホログラム積層体に関する。
【０００２】
【従来の技術及び発明が解決しようとする課題】
身分証明書やクレジットカード等の情報担持体には氏名をはじめとして種々の情報が記録されており、重要なものであるので偽造されないことが要求され、そのための一つの手段としてホログラムを貼付したものが用いられるようになってきているが、ホログラムを剥がしてコピーしたり、他のものに貼り替える等の手段によって偽造される可能性があった。
【０００３】
本発明は、上記の課題を解決するものであって、偽造防止の能力を向上させることができるホログラム積層体を提供することを目的とするものである。
【０００４】
【課題を解決するための手段】
上記の目的を達成するために、請求項１記載のホログラム積層体は、ホログラムが接着層により基材に接着されたホログラム積層体において、前記ホログラムにのみ、当該ホログラムに記録された画像の輪郭に沿ってミシン目が形成されてなることを特徴とする。
また、請求項２記載のホログラム積層体は、請求項１記載のホログラム積層体において、前記ホログラムに記録された画像は先端が鋭角となされた突部が連ねられた形状であることを特徴とする。
【０００５】
また、請求項３記載のホログラム積層体は、請求項１又は２記載のホログラム積層体において、前記ホログラムと前記基材との間には着色層が形成されてなることを特徴とする。
また、請求項４記載のホログラム積層体は、請求項１、２又３記載のホログラム積層体において、前記ホログラムの表面には接着層によって透明保護シートが貼付されてなることを特徴とする。
【０００６】
【発明の実施の形態】
以下、図面を参照しつつ実施の形態について説明する。
図１は本発明に係る第１の実施形態を示す平面図であり、ホログラム１にはミシン目Ｍが形成されている。図１（ａ）では直線状のミシン目Ｍが１本だけ形成されており、図１（ｂ）では直線上のミシン目Ｍが２本形成されている。また、図１（ｃ）では矩形状のミシン目Ｍが形成されており、図１（ｄ）ではミシン目ＭはＡという文字の形状に形成されている。更に、図１（ｅ）ではミシン目Ｍの輪郭は、略三角形状、略鋸歯形状等の先端が鋭角となされた突部が連ねられた形状、即ちいわゆるギザギザの形状となされている。ミシン目Ｍの形状はこれに限るものではなく、適宜な形状であってよいものである。
【０００７】
また、ホログラム１のどの部分にミシン目Ｍを形成するかは任意であるが、画像が記録されている部分に形成するのが望ましいが、特に、ホログラム１に記録された画像の輪郭に沿って形成するとミシン目Ｍが目立たないので望ましい。図２にその例を示す。図２（ａ）は星形の画像が４つ記録されたホログラム１を示しているが、このようなホログラム１に対して、図２（ｂ）に示すように、ホログラム１に記録された４つの星形の画像の輪郭に沿ってミシン目Ｍを形成するのである。このようにすれば、ホログラム１を剥がそうとしても記録された画像は剥がされないので、剥がした部分をコピーしたり、他のものに貼り替えたとしても偽造したものであることを容易に見破ることができるからである。
【０００８】
このミシン目Ｍは、例えばレーザを用いて形成することができる。ミシン目Ｍの一つ一つの孔の大きさは任意に設定することができるが、大きいと見栄えが悪くなることも考えられるので小さい方が望ましいものである。
【０００９】
ホログラム１は反射型のホログラムであってもよく、透過型のホログラムであってもよい。
反射型のホログラムとしては、特性的にリップマンホログラムを用いるのが望ましいが、それ以外にも背面に反射層を設けることにより実質的に反射型としたレリーフタイプのレインボーホログラム等、自然光あるいは通常の照明光で再生できる反射型のものを用いることができる。
【００１０】
ここで、リップマンホログラムについて説明すると次のようである。リップマンホログラムは、図３（ａ）に示すような配置で記録され、図３（ｂ）に示すような原理で再生されるものである。リップマンホログラムの記録は、フォトポリマー、銀塩感光乳剤のような厚みのあるホログラム感材１０の片面から記録物体Ｏの情報を持ったコヒーレントな物体光１１を入射させ、同時に同じ波長のコヒーレントな参照光１２を反対側から所定角度で入射させると、物体光１１と参照光１２はホログラム感材１０中で干渉してリップマンホログラム（体積型のホログラム干渉縞）が記録される。このホログラムの再生に際しては、リップマンホログラムが記録されたホログラム記録体２０（ホログラム感材１０）に、記録の時の参照光１２と同じ方向から再生照明光２２を照射すると、入射光は記録された体積型のホログラム干渉縞により回折され、その回折光２３は記録物体Ｏの位置から発する光と同じ方向に回折され、元の記録物体Ｏの位置にその再生像Ｏ′を再生する。または、記録の時の参照光１２と反対に進む再生照明光２２を裏面に当てると、元の記録物体Ｏの位置にその再生像を再生する。何れにしても、リップマンホログラム２は、記録された立体物あるいは平面物の絵柄の再生像を所定の空間に再生するものである。
【００１１】
このようなリップマンホログラムの特徴は、室内照明光等の環境光によって再生可能であること、波長選択性があること、角度選択性があること、立体物が記録再生できること、多重記録ができること等である。
【００１２】
したがって、図１のホログラム１としてリップマンホログラムを用いた場合には、照明光により、リップマンホログラムに記録された絵柄が空中に浮いた特定の色付き絵柄として観察されることになる。
【００１３】
また、透過型のホログラムとしては、特性的に透過型で体積型のホログラムを用いるのが望ましい。そこで、透過型で体積型のホログラムについて説明すると次のようである。
【００１４】
透過型で体積型のホログラムは、図４（ａ）に示すような配置で記録され、図４（ｂ）に示すような原理で再生されるものである。画像の記録は、厚みのあるホログラム感材３０の片面から記録物体Ｏの情報を持ったコヒーレントな物体光３１を入射させ、同時に同じ波長のコヒーレントな参照光３２を同じ側から所定角度で入射させることによって行う。これによって、物体光３１と参照光３２はホログラム感材３０中で干渉して体積型のホログラム干渉縞が記録される。
【００１５】
ホログラムの再生に際しては、画像が記録されたホログラム記録体４０（ホログラム感材３０）に、記録の時の参照光３２と同じ方向から再生照明光３２を照射する。これによって、入射光は記録された体積型のホログラム干渉縞により回折され、その回折光３３は記録物体Ｏの位置から発する光と同じ方向に回折されて、元の記録物体Ｏの位置にその再生像Ｏ′を再生する。または、記録の時の参照光３２と反対に進む再生照明光３２を裏面に当てると、元の記録物体Ｏの位置にその再生像が再生される。
【００１６】
従って、図１のホログラム１として、このような透過型で体積型のホログラムの背面に反射層を設けて実質的に反射型としたものを用いると、照明光により、透過型ホログラムに記録された絵柄が空中に浮いて観察されることになる。
【００１７】
以上のようにこのホログラム１は非常に破れ易くなっているので、偽造防止の能力を従来に比して大幅に向上させることができるものである。
【００１８】
図５は、図１に示すホログラム１を基材２に貼付して構成したホログラム積層体の構成例を示す断面図である。なお、図５では図１（ｂ）に示すホログラムを用いるものとしている。
【００１９】
ホログラム１は接着層３によって基材２に貼付されており、またホログラム１の表面には接着層４によって透明保護シート５が貼付されている。
【００２０】
ここで、基材２としては、適宜な厚みを有する紙、あるいはプラスティック、金属等で形成される。透明な材料であってもよく、不透明な材料であってもよい。また、図示してはいないが、この基材２には、氏名、年齢、性別、識別番号等の所定の個別情報が記録されている。また、基材２には顔写真が貼付されていてもよい。これらの個別情報は、ホログラム１が貼付される箇所に記録されていてもよく、ホログラム１が貼付される箇所以外の箇所に記録されていてもよい。要するに、写真や個別情報は必要に応じて基材１の適宜な箇所に記録することができるのである。ここで、ホログラム１を基材２に記録された個別情報の上や、基材２に貼付された写真の上に貼付する場合には当該ホログラム１は透過型である必要があることは当然である。
【００２１】
これら個別情報の記録は、例えば、トナー、熱溶融型の転写リボン、タイプ用のリボン、印刷インキ等を使用する手段を用いて、手書き、タイプ、プリンタというような公知の手段で記録することができる。また、磁気記録によって記録することもできる。更には、基材２がプラスティックや金属で形成される場合にはエンボス加工によって記録することもできる。この情報担持体は身分証明書であってもよく、クレジットカードでもよく、一般に所定の個別情報が記録されたものであってよい。
【００２２】
接着層３、４を形成するための接着剤としては、天然ゴム系、再生ゴム系、クロロプレンゴム系、ニトリルゴム系、スチレン・ブタジエンゴム系、熱可塑性エラストマー系等のエラストマー系接着剤、また、エポキシ樹脂系、ポリウレタン系等の合成樹脂系接着剤、反応型アクリル系、シアノアクリレート系等の化学反応型接着剤、その他、ＵＶ硬化型接着剤、ＥＢ硬化型接着剤、更に、エチレン・酢酸ビニル共重合樹脂系ホットメルト系、ポリアミド系、ポリエステル系、熱可塑性エラストマー系、反応ホットメルト系等のホットメルト系接着剤、また、水性接着剤である水溶性接着剤、エマルジョン系接着剤、ラテックス系接着剤、更に無機系接着剤等を用いることができる。また、その接着方法としては、熱可塑性のものは積層物間に挟んで硬化点以上の温度に加熱すればよく、ＵＶ、ＥＢ硬化型のものは積層物間に挟んで紫外線照射、電子線照射して硬化させるとよく、粘着型のものは単に積層物間に挟んで粘着させるとよい。
【００２３】
接着層３、４の接着力は同じでもよいが、ホログラム１が剥がされた場合にホログラム１が基材２側に残るように、透明保護シート５側の接着層４よりも基材２側の接着層３の接着力を大きくするのがよい。接着剤の接着力に差異を付けるには接着剤の組成、その組成比を変えればよい。具体的には、例えば、接着層３にはアクリル系の接着剤を用い、接着層４にはシリコーン系の接着剤を用いればよい。また、接着性を向上させるものとして知られているタッキファイアー樹脂の添加量を加減し、接着層３にはタッキファイアー樹脂を多く添加し、接着層４にはタッキファイアー樹脂の添加量をそれよりも少なくすればよい。
【００２４】
また、透明保護シート５としては、例えばポリエチレンフィルム（ＰＥ）、ポリプロピレンフィルム（ＰＰ）、エチレン−ビニルアルコール共重合フィルム（ＥＶＯＨ）、ポリビニルアルコールフィルム（ＰＶＡ）、ポリメチルメタクリレートフィルム（ＰＭＭＰ）、ポリエーテルスルホンフィルム（ＰＥＳ）、ポリアミドフィルム（ナイロンフィルム）、テトラフルオロエチレン−パーフルオロアルキルビニルエーテル共重合フィルム（ＰＦＡ）等を用いることができる。
【００２５】
さて、図５に示すように、ミシン目Ｍが形成されたホログラム１を基材２に貼付した構成では、ホログラム１を剥がそうとするとホログラム１がミシン目Ｍに沿って破れるか、破れない場合にも変形する可能性が非常に高いので、これを用いてコピーしたり、他のものに貼り替えた場合にも容易に偽造されたものであることを判別できる。特に、図１（ｅ）に示すようにミシン目Ｍの輪郭を、略三角形状、略鋸歯形状等の先端が鋭角となされた突部が連ねられた形状とした場合には、突部の先端部分から破れ易いので有効である。
【００２６】
また、図５において接着層４よりも接着層３の接着力を大きくした場合には、ホログラム１を剥がそうとしたときミシン目Ｍから破れなかったとしても、接着層３の接着力が強いのでホログラム１は基材２側に残る可能性が非常に高く、ホログラム１を完全な状態で基材２から剥がすことは非常に困難であるので、偽造防止の観点からより好ましいものである。
【００２７】
なお、図５ではホログラム１は接着層３により基材２に接着された構成となされているが、ホログラム１の再生像のコントラストを向上させるために、図のホログラム１の下側に接着層を介して着色層を形成し、その着色層を接着層により基材２に接着するようにしてもよい。この場合、ホログラム１と着色層とを接着するための接着層としては上記に例示した接着剤で形成することができる。
【００２８】
以上のようであるので、このようなホログラム１を基材に貼付したものにおいてホログラム１を剥がしてコピーしたり、他のものに貼り替えたとしても、偽造されたものであることを容易に見分けることができるので、偽造防止の能力を従来に比して大幅に向上させることができるものである。
【００２９】
以上、本発明の実施形態について説明したが、本発明は上記実施形態に限定されるものではなく種々の変形が可能であることは当業者に明らかである。
【図面の簡単な説明】
【図１】  本発明に係るホログラムの実施形態を示す平面図である。
【図２】  本発明に係るホログラムの実施形態を示す図である。
【図３】  リップマンホログラムの記録／再生方法を説明するための図である。
【図４】  透過型で体積型のホログラムの記録／再生方法を説明するための図である。
【図５】  図１（ｃ）に示すホログラム１を基材２に貼付した様子を示す断面図である。
【符号の説明】
１…ホログラム
２…基材
３、４…接着層
５…透明保護シート
【図１】
0003880014.tif 000002
【図２】
0003880014.tif 000003
【図３】
0003880014.tif 000004
【図４】
0003880014.tif 000005
【図５】
0003880014.tif 000006